(57)【特許請求の範囲】
【請求項１】
販売される商品に貼り付ける商品シールに二次元コードが印刷され、
前記二次元コードには、
販売予定の前記商品の出荷日と、前記商品の商品名を識別する商品コードと、出荷者が決めて入力された前記商品の価格と、前記商品の出荷者名を識別する出荷者コードと、少なくとも前記出荷日、前記出荷者、および前記価格が同一の前記商品に対しては異なる番号となるシリアル番号とが書き込まれ、
買い物カゴ単位で前記二次元コードを読み取ってレシートを発行する農産物販売用ＰＯＳ端末処理方法であって、
前記買い物カゴ単位で、読み取りが確定した前記商品について、前記商品コード、前記出荷者コード、前記価格、および前記シリアル番号を記憶する買い物カゴ商品データ記憶ステップと、
前記買い物カゴ商品データ記憶ステップで記憶していない新たな前記商品について、前記二次元コードから、前記商品コード、前記出荷者コード、前記価格、および前記シリアル番号を読み取る商品データ読み取りステップと、
前記商品データ読み取りステップで新たに読み取った前記商品コード、前記出荷者コード、前記価格、および前記シリアル番号と、前記買い物カゴ商品データ記憶ステップで記憶している前記商品コード、前記出荷者コード、前記価格、および前記シリアル番号とを比較し、新たに読み取った前記商品が既に前記買い物カゴ商品データ記憶ステップで記憶されていないかを判断する二度読み判断ステップと、
前記二度読み判断ステップにおいて、新たに読み取った前記商品が既に前記買い物カゴ商品データ記憶ステップで記憶されていると判断された場合には二度読み情報を出力する二度読み情報出力ステップと
を有し、
前記二度読み判断ステップでは、
前記シリアル番号が同じでも、前記商品コード、前記出荷者コード、および前記価格のいずれかが異なれば二度読みと判断しない
ことを特徴とする農産物販売用ＰＯＳ端末処理方法。
【請求項２】
前記二次元コードには、預かり期間が書き込まれ、
前記二次元コードに書き込まれた前記出荷日と、前記二次元コードを読み取った処理日とから前記預かり期間を演算する預かり期間演算ステップと、
前記預かり期間演算ステップで演算された前記預かり期間が、前記二次元コードから読み取った前記預かり期間を越えていないかを判断する預かり期間判断ステップと、
前記預かり期間判断ステップにおいて、読み取った前記商品が既に前記預かり期間を越えていると判断された場合には販売不可情報を出力する販売不可情報出力ステップと
を有することを特徴とする請求項１に記載の農産物販売用ＰＯＳ端末処理方法。
【請求項３】
前記預かり期間判断ステップの後に、前記二度読み判断ステップを行い、
前記二度読み判断ステップの後に、前記買い物カゴ商品データ記憶ステップを行う
ことを特徴とする請求項２に記載の農産物販売用ＰＯＳ端末処理方法。
【請求項４】
前記シリアル番号を、
前記二次元コードを印刷する商品シール作成装置ごとに付与された端末番号と、前記商品シール作成装置ごとに発生させた採番とから構成した
ことを特徴とする請求項１から請求項３のいずれかに記載の農産物販売用ＰＯＳ端末処理方法。
【請求項５】
前記データ読み取りステップで新たに読み取った前記商品についてアレルギー成分が含まれている場合に、アレルギー情報を出力するアレルギー情報出力ステップを有することを特徴とする請求項１から請求項４のいずれかに記載の農産物販売用ＰＯＳ端末処理方法。
【請求項６】
前記アレルギー情報出力ステップでは、購入者によって入力されたアレルギー成分と一致する前記アレルギー成分が前記商品に含まれる場合に、前記アレルギー情報を出力することを特徴とする請求項５に記載の農産物販売用ＰＯＳ端末処理方法。
【請求項７】
前記二度読み判断ステップの前に、前記アレルギー情報出力ステップを行うことを特徴とする請求項５または請求項６に記載の農産物販売用ＰＯＳ端末処理方法。
【請求項８】
前記アレルギー情報出力ステップを、前記レシートへの表示で行うことを特徴とする請求項５または請求項６に記載の農産物販売用ＰＯＳ端末処理方法。
【発明の詳細な説明】
【技術分野】
【０００１】
本発明は、農産物直売所で用いる農産物販売用ＰＯＳ端末処理方法に関する。
【背景技術】
【０００２】
特許文献１は、産地直売所における消費者ニーズである「品揃え・新鮮・安価・安全」という要望を十分に満足させる販売管理運営のために、高齢者や農家の婦人層にも簡単に、しかも一貫したシステムで楽に販売管理できるように、農産物直売所と各商品の出荷者をネットワーク接続させたＰＯＳレジスターを含む農産物販売管理システムを提案している。
【先行技術文献】
【特許文献】
【０００３】
【特許文献１】特開２００７−１５６９５２号公報
【発明の開示】
【発明が解決しようとする課題】
【０００４】
近年、産地直売所の環境は大きく様変わりし、農家が持ってきた商品を委託販売する従来の機能に加え、現在では大量に販売するために農家より買取を行ったり、販売店舗に対する販売も行われている。
産地直売所で販売される農産物に対しては、二次元コードを印刷した商品シールを用いることで、出荷者や集荷者に対する清算金の支払いを円滑に行えるシステムが構築されつつある。
しかし、農産物は一般の加工品と異なり定型のパッケージで包装されることはほとんどなく、ビニールに詰めて販売されることが一般的であるため、ＰＯＳ端末での二次元コードの読み取りがスムーズに行いにくい。
そのため、ＰＯＳ端末における重複した読み取りが発生する可能性が高い。
【０００５】
そこで本発明は、同一商品に対しての重複した読み取りを防止することができる農産物販売用ＰＯＳ端末処理方法を提供することを目的とする。
【課題を解決するための手段】
【０００６】
請求項１記載の本発明の農産物販売用ＰＯＳ端末処理方法は、販売される商品に貼り付ける商品シールに二次元コードが印刷され、前記二次元コードには、販売予定の前記商品の出荷日と、前記商品の商品名を識別する商品コードと、出荷者が決めて入力された前記商品の価格と、前記商品の出荷者名を識別する出荷者コードと、少なくとも前記出荷日、前記出荷者、および前記価格が同一の前記商品に対しては異なる番号となるシリアル番号とが書き込まれ、買い物カゴ単位で前記二次元コードを読み取ってレシートを発行する農産物販売用ＰＯＳ端末処理方法であって、前記買い物カゴ単位で、読み取りが確定した前記商品について、前記商品コード、前記出荷者コード、前記価格、および前記シリアル番号を記憶する買い物カゴ商品データ記憶ステップと、前記買い物カゴ商品データ記憶ステップで記憶していない新たな前記商品について、前記二次元コードから、前記商品コード、前記出荷者コード、前記価格、および前記シリアル番号を読み取る商品データ読み取りステップと、前記商品データ読み取りステップで新たに読み取った前記商品コード、前記出荷者コード、前記価格、および前記シリアル番号と、前記買い物カゴ商品データ記憶ステップで記憶している前記商品コード、前記出荷者コード、前記価格、および前記シリアル番号とを比較し、新たに読み取った前記商品が既に前記買い物カゴ商品データ記憶ステップで記憶されていないかを判断する二度読み判断ステップと、前記二度読み判断ステップにおいて、新たに読み取った前記商品が既に前記買い物カゴ商品データ記憶ステップで記憶されていると判断された場合には二度読み情報を出力する二度読み情報出力ステップとを有し、前記二度読み判断ステップでは、前記シリアル番号が同じでも、前記商品コード、前記出荷者コード、および前記価格のいずれかが異なれば二度読みと判断しないことを特徴とする。
請求項２記載の本発明は、請求項１に記載の農産物販売用ＰＯＳ端末処理方法において、前記二次元コードには、預かり期間が書き込まれ、前記二次元コードに書き込まれた前記出荷日と、前記二次元コードを読み取った処理日とから前記預かり期間を演算する預かり期間演算ステップと、前記預かり期間演算ステップで演算された前記預かり期間が、前記二次元コードから読み取った前記預かり期間を越えていないかを判断する預かり期間判断ステップと、前記預かり期間判断ステップにおいて、読み取った前記商品が既に前記預かり期間を越えていると判断された場合には販売不可情報を出力する販売不可情報出力ステップとを有することを特徴とする。
請求項３記載の本発明は、請求項２に記載の農産物販売用ＰＯＳ端末処理方法において、前記預かり期間判断ステップの後に、前記二度読み判断ステップを行い、前記二度読み判断ステップの後に、前記買い物カゴ商品データ記憶ステップを行うことを特徴とする。
請求項４記載の本発明は、請求項１から請求項３のいずれかに記載の農産物販売用ＰＯＳ端末処理方法において、前記シリアル番号を、前記二次元コードを印刷する商品シール作成装置ごとに付与された端末番号と、前記商品シール作成装置ごとに発生させた採番とから構成したことを特徴とする。
請求項５記載の本発明は、請求項１から請求項４のいずれかに記載の農産物販売用ＰＯＳ端末処理方法において、前記データ読み取りステップで新たに読み取った前記商品についてアレルギー成分が含まれている場合に、アレルギー情報を出力するアレルギー情報出力ステップを有することを特徴とする。
請求項６記載の本発明は、請求項５に記載の農産物販売用ＰＯＳ端末処理方法において、前記アレルギー情報出力ステップでは、購入者によって入力されたアレルギー成分と一致する前記アレルギー成分が前記商品に含まれる場合に、前記アレルギー情報を出力することを特徴とする。
請求項７記載の本発明は、請求項５または請求項６に記載の農産物販売用ＰＯＳ端末処理方法において、前記二度読み判断ステップの前に、前記アレルギー情報出力ステップを行うことを特徴とする。
請求項８記載の本発明は、請求項５または請求項６に記載の農産物販売用ＰＯＳ端末処理方法において、前記アレルギー情報出力ステップを、前記レシートへの表示で行うことを特徴とする。
【発明の効果】
【０００７】
本発明によれば、商品コード、出荷者コード、および価格のデータを基に、更にシリアル番号によって区別することで、複数個の同一商品の購入か重複読み取りかを判別できるため、少ない桁数のシリアル番号で、同一商品に対しての重複した読み取りを防止することができる。
【図面の簡単な説明】
【０００８】
【図１】本発明の一実施例による農産物販売用ＰＯＳ端末処理方法を用いる直売所を中心とした商品の流れを示すフローチャート
【図２】本実施例に用いる商品シール作成装置および農産物販売用ＰＯＳ端末処理装置のブロック図
【図３】本実施例による農産物販売用ＰＯＳ端末処理方法で印刷された商品シールの平面図
【図４】本実施例による集荷者が用いる端末入力画面のイメージ図
【図５】同端末入力画面で入力された出荷困難者向け管理画面のイメージ図
【図６】本実施例に用いる農産物販売用ＰＯＳ端末処理装置での処理流れを示すフローチャート
【発明を実施するための形態】
【０００９】
本発明の第１の実施の形態による農産物販売用ＰＯＳ端末処理方法は、買い物カゴ単位で、読み取りが確定した商品について、商品コード、出荷者コード、価格、およびシリアル番号を記憶する買い物カゴ商品データ記憶ステップと、買い物カゴ商品データ記憶ステップで記憶していない新たな商品について、二次元コードから、商品コード、出荷者コード、価格、およびシリアル番号を読み取る商品データ読み取りステップと、商品データ読み取りステップで新たに読み取った商品コード、出荷者コード、価格、およびシリアル番号と、買い物カゴ商品データ記憶ステップで記憶している商品コード、出荷者コード、価格、およびシリアル番号とを比較し、新たに読み取った商品が既に買い物カゴ商品データ記憶ステップで記憶されていないかを判断する二度読み判断ステップと、二度読み判断ステップにおいて、新たに読み取った商品が既に買い物カゴ商品データ記憶ステップで記憶されていると判断された場合には二度読み情報を出力する二度読み情報出力ステップとを有し、二度読み判断ステップでは、シリアル番号が同じでも、商品コード、出荷者コード、および価格のいずれかが異なれば二度読みと判断しないものである。本実施の形態によれば、同一商品に対しての重複した読み取り、すなわち、二度読み取りを防止することができる。特に本実施の形態では、商品コード、出荷者コード、および価格が同一であることが同一商品の前提となることから、商品コード、出荷者コード、および価格のデータを基に重複した読み取りか否かを判断するとともに、商品コード、出荷者コード、および価格が同じ商品に対してはシリアル番号によって区別することで、複数個の同一商品の購入か重複読み取りかを判別できるため、少ない桁数のシリアル番号で対応ができる。
【００１０】
本発明の第２の実施の形態は、第１の実施の形態による農産物販売用ＰＯＳ端末処理方法において、二次元コードには、預かり期間が書き込まれ、二次元コードに書き込まれた出荷日と、二次元コードを読み取った処理日とから経過期間を演算する経過期間演算ステップと、経過期間演算ステップで演算された経過期間が、二次元コードから読み取った預かり期間を越えていないかを判断する預かり期間判断ステップと、預かり期間判断ステップにおいて、読み取った商品が既に預かり期間を越えていると判断された場合には販売不可情報を出力する販売不可情報出力ステップとを有するものである。本実施の形態によれば、販売時に預かり期日を確認でき、古くなった商品を誤って販売してしまうことを防止できる。
【００１１】
本発明の第３の実施の形態は、第２の実施の形態による農産物販売用ＰＯＳ端末処理方法において、預かり期間判断ステップの後に、二度読み判断ステップを行い、二度読み判断ステップの後に、買い物カゴ商品データ記憶ステップを行うものである。本実施の形態によれば、始めに預かり期日を確認し、その後に重複読み取りを確認できるため、農産物販売用ＰＯＳ端末処理を効率的に行うことができる。
【００１２】
本発明の第４の実施の形態は、第１から第３のいずれかの実施の形態による農産物販売用ＰＯＳ端末処理方法において、シリアル番号を、二次元コードを印刷する商品シール作成装置ごとに付与された端末番号と、商品シール作成装置ごとに発生させた採番とから構成したものである。本実施の形態によれば、端末番号と商品シールの印刷時に行える採番とから簡便にシリアル番号を構成できる。
【００１３】
本発明の第５の実施の形態は、第１から第４のいずれかの実施の形態による農産物販売用ＰＯＳ端末処理方法において、データ読み取りステップで新たに読み取った商品についてアレルギー成分が含まれている場合に、アレルギー情報を出力するアレルギー情報出力ステップを有するものである。本実施の形態によれば、商品購入時に、アレルギー成分の含有の有無を確認できる。
【００１４】
本発明の第６の実施の形態は、第５の実施の形態による農産物販売用ＰＯＳ端末処理方法において、アレルギー情報出力ステップでは、購入者によって入力されたアレルギー成分と一致するアレルギー成分が商品に含まれる場合に、アレルギー情報を出力するものである。本実施の形態によれば、購入者に対応してアレルギー情報の出力を行えるため、注意喚起の効果が高い。
【００１５】
本発明の第７の実施の形態は、第５または第６の実施の形態による農産物販売用ＰＯＳ端末処理方法において、二度読み判断ステップの前に、アレルギー情報出力ステップを行うものである。本実施の形態によれば、重複読み取り確認前に、アレルギー成分の含有の有無を確認できるため、農産物販売用ＰＯＳ端末処理を効率的に行うことができる。
【００１６】
本発明の第８の実施の形態は、第５または第６の実施の形態による農産物販売用ＰＯＳ端末処理方法において、アレルギー情報出力ステップを、レシートへの表示で行うものである。本実施の形態によれば、購入者は商品購入後に、アレルギー成分の含有の有無を確認できる。
【実施例】
【００１７】
以下本発明の一実施例による農産物販売用ＰＯＳ端末処理方法について説明する。
図１は本実施例による農産物販売用ＰＯＳ端末処理装置を用いる直売所を中心とした商品の流れを示すフローチャートである。
直売所１が販売する商品には、直売所１が農家や農産物加工者である出荷者２から商品を買い取り販売する買取販売商品と、出荷者２から直売所１が委託され、販売店舗５にて商品を販売する委託販売商品とがある。
図１（ａ）は、買取販売商品の流れを示し、図１（ｂ）（ｃ）は、委託販売商品の流れを示している。
図１（ａ）に示すように、買取販売商品は、一般消費者である個人３、または病院や給食センターなどの施設４に対して販売する。
図１（ｂ）（ｃ）に示すように、委託販売商品は、デパートやスーパーなどの販売店舗５に対して販売される。
委託販売商品では、図１（ｂ）に示すように出荷者２が直売所１に持ち込む直接出荷商品と、図１（ｃ）に示すように、出荷者２に代わって集荷者６が直売所１に持ち込む間接出荷商品とがある。
【００１８】
買取販売商品に対しては、直売所１による商品買い取り時に、直売所１から出荷者２に対して商品代金が支払われる。
委託販売商品に対しては、販売店舗５にてその商品が売れた場合に、販売店舗５から直売所１に対して売上金が戻され、直売所１から出荷者２に対して精算金が支払われる。例えば、販売価格の１５％が精算金として直売所１から出荷者２に対して支払われる。
委託販売商品が間接出荷商品である場合には、販売店舗５にてその商品が売れた場合に、直売所１から出荷者２および集荷者６に対して精算金が支払われる。例えば、販売価格の１０％が精算金として直売所１から出荷者２に対して支払われ、販売価格の５％が精算金として直売所１から集荷者６に対して支払われる。
【００１９】
図２は本実施例に用いる商品シール作成装置および農産物販売用ＰＯＳ端末処理装置のブロック図である。
商品シール作成装置１０は、販売される商品に貼り付ける商品シールを印刷する。商品シールには、農産物販売用ＰＯＳ端末処理装置３０で読み取る二次元コードが印刷される。
本実施例による商品シール作成装置１０は、印刷および管理に必要なデータを入力する入力手段１１、印字する商品シールを選択する商品シール選択手段１２と、入力手段１１で入力されるデータおよび商品シール選択手段１２で選択される商品シールに関するデータを記憶する記憶手段１３とを有している。
また、商品シール作成装置１０は、二次元コードを印刷する商品シール作成装置１０ごとに付与された端末番号を記憶した端末番号記憶手段１０ａと、商品シール作成装置１０ごとに採番を発生させる採番発生手段１０ｂと、端末番号記憶手段１０ａに記憶された端末番号と採番発生手段１０ｂで発生させた採番とからシリアル番号を生成するシリアル番号生成手段１０ｃとを有する。
例えば、端末番号記憶手段１０ａには、２桁の数字からなる端末番号を記憶し、採番発生手段１０ｂでは、所定の範囲で商品シールの印刷枚数ごとに採番を行う。
採番発生手段１０ｂでは、４桁の数字、すなわち１〜９９９９までの範囲で採番を行い、最大値である９９９９まで採番を行うと１から再び採番を開始する。
シリアル番号生成手段１０ｃでは、２桁の端末番号の後に４桁の連番をプラスして合計６桁のシリアル番号で構成する。このシリアル番号は、入力手段１１で入力されて印刷手段１９に指示される商品シールの枚数に応じて生成され、記憶手段１３に記憶された後に二次元コードのデータに付加される。
シリアル番号は、農産物販売用の商品シールに用いられるものであり、少なくとも出荷日、出荷者２、および価格が同一の商品に対して異なる番号となればよい。
本実施例によれば、端末番号と商品シールの印刷時に行える採番とから簡便にシリアル番号を構成できる。
【００２０】
入力手段１１では、販売予定の商品の出荷日（年月日）、出荷者名または出荷者コード、商品名または商品コード、商品数、価格と、商品の販売によって得た利益の還元先を識別する支払先名または支払先コード、集荷者名または集荷者名を識別する仲介者コード、圃場または圃場コード、預かり期間が入力される。
商品シール選択手段１２では、買取販売用商品シールと委託販売用商品シールとが選択され、委託販売用商品シールが選択された場合には、更に販売店舗５を選択する。
販売店舗名は記憶手段１３に記憶されている。また、販売店舗５によっては、販売店舗５が用いる一次元コードが販売店舗名とともに記憶手段１３に記憶されている。
記憶手段１３には、販売予定の商品の出荷日別、出荷者２別、および商品別に、出荷日と、商品名を識別する商品コードと、販売予定の商品数と、販売予定の価格と、出荷者名を識別する出荷者コードと、商品の販売によって得た利益の還元先を識別する支払先コードと、集荷者名を識別する仲介者コードと、シリアル番号についてのデータを記憶している。
【００２１】
二次元コードデータ抽出手段１４では、記憶手段１３から、出荷者コード、支払先コード、仲介者コード、商品コード、価格、出荷日、圃場コード、預かり期間、およびシリアル番号についてのデータを抽出する。
二次元コード作成手段１５では、二次元コードデータ抽出手段１４で抽出したデータを基に二次元コードを作成する。
目視識別データ抽出手段１６では、販売予定の商品についての、出荷日、商品コードデータに対応する商品名、出荷者コードデータに対応する出荷者名、および直売所名を記憶手段１３から抽出する。委託販売商品では、選択された販売店舗名が目視識別データ抽出手段１６で抽出される。
商品価格データ抽出手段１７では、商品の価格を抽出する。
一次元コード抽出手段１８では、委託販売用商品シールが選択され、選択された販売店舗５が用いる一次元コードが記憶されている場合には、この一次元コードのデータが抽出される。
印字手段１９では、二次元コード作成手段１５で作成された二次元コード、目視識別データ抽出手段１６、商品価格データ抽出手段１７、および一次元コード抽出手段１８で抽出されたデータを商品シールに印字する。
【００２２】
農産物販売用ＰＯＳ端末処理装置３０は、二次元コード読み取り手段３１、第１記憶手段３２、第２記憶手段３３、処理手段３４、タイマー手段３５、レシート出力手段３６、注意出力手段３７、ＰＯＳ入力手段３８、およびアレルギー成分入力手段３９を有し、買い物カゴ単位で二次元コードを読み取ってレシートを発行する。
第１記憶手段３２は、二次元コード記憶部３２ａと、買い物カゴ商品データ記憶部３２ｂと、アレルギー情報記憶部３２ｃとを有する。
処理手段３４は、経過期間演算部３４ａと、預かり期間判断部３４ｂと、二度読み判断部３４ｃと、アレルギー成分判断部３４ｄとを有する。
商品データベース４０には、商品コード別に、その商品に含まれているアレルギー成分情報を記憶し、顧客データベース４１には、購入額に応じて付与されるポイント数や、例えば小麦、卵、乳、およびカシューナッツのようなアレルギー成分を記憶している。
【００２３】
二次元コード読み取り手段３１では、商品シールに印刷された二次元コードから、少なくとも出荷者コード、支払先コード、仲介者コード、商品コード、価格、出荷日、預かり期間、およびシリアル番号を読み取る。なお、本実施例では、圃場コードについては、二次元コード読み取り手段３１で読み取る必要はない。本実施例では、圃場コードは商品陳列時に購入者が携帯端末などを用いて圃場を確認する場合に用いることを想定している。
二次元コード読み取り手段３１で読み取った、出荷者コード、支払先コード、仲介者コード、商品コード、価格、出荷日、預かり期間、およびシリアル番号のデータは二次元コード記憶部３２ａに記憶される。
【００２４】
経過期間演算部３４ａでは、二次元コードに書き込まれて二次元コード記憶部３２ａに記憶された出荷日と、二次元コードを読み取った処理日とから経過期間を演算する。二次元コードを読み取った処理日は、タイマー手段３５によって生成している。
預かり期間判断部３４ｂでは、経過期間演算部３４ａで演算された経過期間が、二次元コードから読み取った預かり期間を越えていないかを判断する。
預かり期間判断部３４ｂでは、読み取った商品が既に預かり期間を越えていると判断した場合には販売不可情報を注意出力手段３７から出力する。
【００２５】
買い物カゴ商品データ記憶部３２ｂには、買い物カゴ単位で、読み取りが確定した商品について、商品コード、出荷者コード、価格、シリアル番号、支払先コード、および仲介者コードを記憶する。
二度読み判断部３４ｃでは、商品データ読み取り手段３１で新たに読み取り二次元コード記憶部３２ａに記憶した商品コード、出荷者コード、価格、およびシリアル番号と、買い物カゴ商品データ記憶部３２ｂで既に記憶している商品コード、出荷者コード、価格、およびシリアル番号とを比較し、新たに読み取った商品が既に買い物カゴ商品データ記憶部３２ｂに記憶されていないかを判断する。
二度読み判断部３４ｃにおいて、新たに読み取った商品が既に買い物カゴ商品データ記憶部３２ｂに記憶されていると判断された場合には、注意出力手段３７から二度読み情報を出力する。
【００２６】
アレルギー成分入力手段３９は、操作ボタンやタッチパネルを備えた入力装置またはポイントカード読み取り装置で構成され、例えば一般購入者は買い物時に入力装置から入力し、ポイントカード購入者はポイントカード読み取り装置でポイントカードを読み取ることで顧客データベース４１から参照入力される。なお、アレルギー成分入力手段３９は、農産物販売用ＰＯＳ端末処理装置３０とは別に備えてもよい。
農産物販売用ＰＯＳ端末処理装置３０は、二次元コード読み取り手段３１で読み取った商品コードを元に商品データベース４０からアレルギー成分情報を読み出し、アレルギー成分判断部３４ｄでは、アレルギー成分入力手段３９で入力されたアレルギー成分が含有されているかを判断する。
【００２７】
注意出力手段３７は、表示モニターやスピーカーであり、表示モニターでの注意表示やスピーカーからの警告音で、預かり期間の経過による販売不可、二度読み情報、およびアレルギー情報を出力する。
【００２８】
買い物カゴ単位の商品読み取り終了がＰＯＳ入力手段３８から入力されると、処理手段３４では、買い物カゴ商品データ記憶部３２ｂに記憶されている商品コードおよび価格のデータを抽出し、それぞれの商品名および価格と合計金額とを印刷したレシートを、レシート出力手段３６から出力する。
また、買い物カゴ単位の商品読み取り終了がＰＯＳ入力手段３８から入力されると、処理手段３４では、買い物カゴ商品データ記憶部３２ｂに記憶されている商品コード、価格、支払先コード、および仲介者コードを、第２記憶手段３３に記憶する。
第２記憶手段３３に記憶された商品コード、価格、支払先コード、および仲介者コードは、買い物カゴ単位で、または例えば１日のような所定期間経過後に管理サーバーに送られる。
管理サーバーでは、第２記憶手段３３に記憶された商品コード、価格、支払先コード、および仲介者コードを元に、支払先コードを元にした出荷者２、または仲介者コードを元にした集荷者６に対する清算金を算出する。
【００２９】
図３は本実施例による農産物販売用ＰＯＳ端末処理方法で印刷された商品シールの平面図である。
図３（ａ）（ｂ）は買取販売用商品シール、図３（ｃ）（ｄ）は委託販売用商品シールである。
買取販売用商品シール２０ａ、２０ｂは、買取販売商品に用いられる。委託販売用商品シール２０ｃ、２０ｄは、委託販売商品に用いられる。
【００３０】
図３（ａ）（ｂ）に示すように買取販売用商品シール２０ａ、２０ｂは、目視識別表示部２１と二次元コード表示部２２と商品価格表示部２３とを有している。
目視識別表示部２１には、販売予定の商品についての、出荷日、商品コードデータに対応する商品名、出荷者コードデータに対応する出荷者名、および直売所名が印刷される。
二次元コード表示部２２には、二次元コードが印刷され、商品価格表示部２３には、商品の価格が印刷される。
【００３１】
ここで、買取販売用商品シール２０ａ、２０ｂでは、二次元コードとして、支払先コード、商品コード、および価格についてのデータが書き込まれる。なお、支払先コードとしては直売所コードが書き込まれる。
本実施例による買取販売用商品シール２０ａ、２０ｂでは、二次元コードを読み取ることで、買取販売商品であることが判別される。
また、二次元コードには預かり期日が書き込まれる。
本実施例による買取販売用商品シール２０ａ、２０ｂでは、二次元コードに預かり期日が書き込まれることで、例えば販売時のような二次元コードの読み取り時に預かり期日を確認でき、古くなった商品を誤って販売してしまうことを防止できる。
買取販売用商品シール２０ａ、２０ｂでは、切り取りを示唆する切取線２４を有し、切取線２４で区画される一方に目視識別表示部２１を、切取線２４で区画される他方に二次元コード表示部２２と商品価格表示部２３とを印刷する。切取線２４は、ミシン目で構成してもよい。
本実施例による買取販売用商品シール２０ａ、２０ｂでは、例えば停電時など、販売時にＰＯＳシステムが稼働しない場合であっても、二次元コード表示部２２を目視識別表示部２１から切り離して保管しておくことで、後でのデータ入力を容易に行うことができる。
【００３２】
図３（ｃ）（ｄ）に示すように委託販売用商品シール２０ｃ、２０ｄは、目視識別表示部２１と二次元コード表示部２２と商品価格表示部２３とを有している。
目視識別表示部２１には、販売予定の商品についての、出荷日、商品コードデータに対応する商品名、出荷者コードデータに対応する出荷者名、および直売所名が印刷される。
二次元コード表示部２２には、二次元コードが印刷され、商品価格表示部２３には、商品の価格が印刷される。
なお、委託販売用商品シール２０ｃ、２０ｄでは、出荷者名は、生産者名として印刷される。
委託販売用商品シール２０ｃ、２０ｄでは、切り取りを示唆する切取線２４を有し、切取線２４で区画される一方に目視識別表示部２１と二次元コード表示部２２とを、切取線２４で区画される他方に商品価格表示部２３を印刷する。切取線２４は、ミシン目で構成してもよい。
本実施例による委託販売用商品シール２０ｃ、２０ｄでは、商品価格表示部２３を目視識別表示部２１から切り離すことができるため、贈答用に用いやすい。
【００３３】
ここで、委託販売用商品シール２０ｃ、２０ｄでは、二次元コードには、支払先コード、仲介者コード、商品コード、および価格についてのデータが書き込まれる。
委託販売商品では、二次元コードにおける支払先コードには出荷者コードと同じデータが書き込まれ、間接出荷商品では、二次元コードにおける仲介者コードには集荷者名を識別するデータが書き込まれる。
本実施例による委託販売用商品シール２０ｃ、２０ｄでは、二次元コードを読み取ることで、委託販売商品であることが判別され、委託販売商品であれば、商品の販売によって得た利益の還元先を出荷者２とすることができ、また集荷者６が介在する場合には二次元コードに仲介者コードが書き込まれていることで、利益の還元先として集荷者６を含めることができる。
【００３４】
また、委託販売商品では、二次元コードには預かり期日が書き込まれる。
本実施例による委託販売用商品シール２０ｃ、２０ｄでは、二次元コードに預かり期日が書き込まれることで、例えば販売時のような二次元コードの読み取り時に預かり期日を確認でき、古くなった商品を誤って販売してしまうことを防止できる。
委託販売用商品シール２０ｄでは、一次元コード表示部２５を有し、一次元コード表示部２５には販売店舗５が用いる一次元コードを印刷する。販売店舗５が用いる一次元コードを印刷することで、販売店舗５に対して販売する委託販売商品についても、商品シールを用いることができる。
【００３５】
図４は集荷者が用いる端末入力画面のイメージ図、図５は同端末入力画面で入力された出荷困難者向け管理画面である。
図４に示すように、集荷者６は、出荷者２から出荷する「商品」「数量」「単価（価格）」「製造日」などの情報を得る。
集荷者６は、複数の出荷者２から情報を得るため、出荷困難者向け管理では、図５に示すように、出荷予定の商品について、種別、登録日時、出荷者名、商品名、商品シール枚数、価格、出荷日が管理される。
【００３６】
図６は、農産物販売用ＰＯＳ端末処理装置での処理流れを示すフローチャートである。
図６に示すフローチャートは、買い物カゴ単位、すなわち、購入者別に行われる処理流れである。
購入商品の精算処理開始に先立って、購入者によってアレルギー成分入力手段３９からアレルギー成分が入力される（ステップ１）。入力されたアレルギー成分情報は、アレルギー情報記憶部３２ｃに記憶される。なお、あらかじめアレルギー成分を登録しているポイントカード購入者の場合には、ステップ１では、入力装置からの入力に代えて、ポイントカード読み取り装置でポイントカードを読み取ることで、顧客データベース４１からアレルギー成分が参照入力され、アレルギー情報記憶部３２ｃに記憶される。
複数の購入商品の中で、最初の商品に貼り付けている商品シールから二次元コードを読み取る（ステップ２）。
ステップ２における二次元コードの読み取りは、二次元コード読み取り手段３１によって行われる。ステップ２において読み取られた二次元コードのデータは、二次元コード記憶部３２ａに一旦記憶される。
【００３７】
また、ステップ２で読み取られた商品コードを元に商品データベース４０からアレルギー成分情報を読み出し、アレルギー成分判断部３４ｄにおいて、アレルギー成分入力手段３９で入力されたアレルギー成分が含有されているかを判断する（ステップ３）。
ステップ３において、購入者が入力したアレルギー成分が商品に含有されていると判断された場合には、注意出力手段３７によってアレルギー情報を出力する（ステップ４）。
なお、ステップ４におけるアレルギー情報出力ステップでは、ステップ２におけるデータ読み取りステップで新たに読み取った商品についてアレルギー成分が含まれている場合には、アレルギー情報を出力するものであってもよい。
ステップ４におけるアレルギー情報出力ステップの後に、経過期間演算部３４ａでは、二次元コード記憶部３２ａに記憶された出荷日のデータを読み出し（ステップ５）、読み出された出荷日のデータとタイマー手段３５からの読み込んだ処理日のデータとから経過期間（＝処理日−出荷日）を算出する（ステップ６）。
【００３８】
預かり期間判断部３４ｂでは、二次元コード記憶部３２ａに記憶された預かり期間のデータを読み出し（ステップ７）、読み出された預かり期間のデータとステップ６における経過期間演算ステップで算出した経過期間と比較し、経過期間演算ステップで演算された経過期間が、ステップ７における預かり期間を越えていないかを判断する（ステップ８）。
ステップ８における預かり期間判断ステップで、読み取った商品が既に預かり期間を越えていると判断された場合には、注意出力手段３７によって販売不可情報を出力する（ステップ９）。
ステップ９における販売不可情報出力ステップで販売不可情報が出力されると、ＰＯＳ入力手段３８からの確認または取消の指示の後、またはＰＯＳ入力手段３８からの指示を受けることなく、二次元コード記憶部３２ａに記憶した商品のデータを消去し、ステップ２に戻って次の商品に貼り付けている商品シールから二次元コードを読み取る。
【００３９】
ステップ８における預かり期間判断ステップで、読み取った商品が預かり期間を越えていないと判断された場合には、二次元コード記憶部３２ａに記憶された商品コード、出荷者コード、価格、シリアル番号のデータを読み出す（ステップ１０）。
ステップ１０で読み出した商品コード、出荷者コード、価格、およびシリアル番号と、買い物カゴ商品データ記憶部３２ｂに既に記憶している商品コード、出荷者コード、価格、およびシリアル番号とを比較し、新たに読み取った商品が既に買い物カゴ商品データ記憶部３２ｂに記憶されていないかを判断する（ステップ１１）。
ステップ１１における二度読み判断ステップで、新たに読み取った商品が既に買い物カゴ商品データ記憶部３２ｂに記憶されている、すなわち、二度読みであると判断された場合には、注意出力手段３７によって二度読み情報を出力する（ステップ１２）。
ステップ１２における二度読み情報出力ステップで二度読み情報が出力されると、ＰＯＳ入力手段３８からの確認または取消の指示の後、またはＰＯＳ入力手段３８からの指示を受けることなく、二次元コード記憶部３２ａに記憶した商品のデータを消去し、ステップ２に戻って次の商品に貼り付けている商品シールから二次元コードを読み取る。
【００４０】
ステップ１１における二度読み判断ステップで、二度読みでないと判断された場合には、二次元コード記憶部３２ａに記憶された商品コード、出荷者コード、価格、シリアル番号、支払先コード、仲介者コードのデータを二次元コード記憶部３２ａから読み出し、買い物カゴ商品データ記憶部３２ｂに記憶する（ステップ１３）。
ステップ１３において所定のデータを買い物カゴ商品データ記憶部３２ｂに記憶した後に、または買い物カゴ商品データ記憶部３２ｂに記憶する際に二次元コード記憶部３２ａに記憶した商品のデータを消去する。
ステップ１４において、更に次の商品がある場合には、ステップ２に戻って次の商品に貼り付けている商品シールから二次元コードを読み取る。
【００４１】
全ての商品について読み取りが完了した場合には、ステップ１４において、ＰＯＳ入力手段３８からの入力指示によって読み取りを終了し、買い物カゴ商品データ記憶部３２ｂに記憶している全ての商品について、商品コードおよび価格のデータを読み出し（ステップ１５）、処理手段３４において合計処理を行う（ステップ１６）。
ステップ１６における合計処理の後に、レシート出力手段３６によってレシートを出力する（ステップ１７）。なお、購入者が入力したアレルギー成分が購入商品に含有されている場合にはレシートに該当するアレルギー成分を表示する。
ステップ１４における読み取り終了の後、ステップ１５におけるデータ読み出しとともに、ステップ１６における合計処理、またはステップ１７におけるレシート出力の後に、タイマー手段３５での処理日とともに、買い物カゴ商品データ記憶部３２ｂに記憶している全ての商品に関する、商品コード、価格、支払先コード、および仲介者コードのデータを第２記憶手段３３に登録し（ステップ１８）、買い物カゴ商品データ記憶部３２ｂに記憶しているデータを消去する（ステップ１９）。
【００４２】
本実施例によれば、販売時に預かり期日を確認でき、古くなった商品を誤って販売してしまうことを防止できる。
また本実施例によれば、商品コード、出荷者コード、および価格のデータを基に、更にシリアル番号によって区別することで、複数個の同一商品の購入か重複読み取りかを判別できるため、少ない桁数のシリアル番号で、同一商品に対しての重複した読み取りを防止することができる。
また本実施例によれば、始めに預かり期日を確認し、その後に重複読み取りを確認できるため、農産物販売用ＰＯＳ端末処理を効率的に行うことができる。
【産業上の利用可能性】
【００４３】
本発明は、農産物直売所で用いる農産物販売用ＰＯＳ端末処理方法に最適であるが、一般の商品を対象としたＰＯＳ端末処理方法にも適用できる。
【符号の説明】
【００４４】
１  直売所
２  出荷者
３  個人
４  施設
５  販売店舗
１０  商品シール作成装置
１０ａ  端末番号記憶手段
１０ｂ  採番採番発生手段
１０ｃ  シリアル番号生成手段
１１  入力手段
１２  商品シール選択手段
１３  記憶手段
１４  二次元コードデータ抽出手段
１５  二次元コード作成手段
１６  目視識別データ抽出手段
１７  商品価格データ抽出手段
１８  一次元コード抽出手段
１９  印字手段
２０ａ、２０ｂ  買取販売用商品シール
２０ｃ、２０ｄ  委託販売用商品シール
２１  目視識別表示部
２２  二次元コード表示部
２３  商品価格表示部
２４  切取線
２５  一次元コード表示部
３０  農産物販売用ＰＯＳ端末処理装置
３１  二次元コード読み取り手段
３２  第１記憶手段
３２ａ  二次元コード記憶部
３２ｂ  買い物カゴ商品データ記憶部
３３  データを第２記憶手段
３４  処理手段
３４ａ  経過期間演算部
３４ｂ  預かり期間判断部
３４ｃ  二度読み判断部
３５  タイマー手段
３６  レシート出力手段
３７  注意出力手段
３８  ＰＯＳ入力手段
３９  アレルギー成分入力手段
４０  商品データベース
４１  顧客データベース
【図１】
0006456702.tif 000002
【図２】
0006456702.tif 000003
【図３】
0006456702.tif 000004
【図４】
0006456702.tif 000005
【図５】
0006456702.tif 000006
【図６】
0006456702.tif 000007